(57)【要約】【課題】加入者以外のキャッシュレス投票を可能にする。【解決手段】会員端末装置２を介して投票権の譲渡要求が入力されると、投票権譲渡手段１ｃは、譲渡要求に応じた投票権の内容に関する投票権情報と、譲渡先を特定するために譲渡先情報とを、この会員の会員識別情報に関連付けた譲渡情報を生成し、譲渡情報記憶手段１ｂに記憶する。譲渡先端末装置３を介して投票券の購入要求が入力されると、投票券購入受付手段１ｄは、対応する譲渡情報と、会員情報とを読み出し、投票券購入要求の可否を判断する。購入内容が投票権情報に指定される内容を超えなければ購入が認められる。購入が認められるときは、会員情報によって特定される会員の口座を基に投票券を購入する。【選択図】図１
2008276352.tif 000002
【特許請求の範囲】
【請求項１】
予め登録された会員の端末装置からの指示に応じて投票券を購入するキャッシュレス投票サービスを提供する投票サービス装置において、
前記会員を特定する会員識別情報に関連付けて前記会員の口座に関する口座情報を含む会員情報を記憶する会員情報記憶手段と、
前記会員が投票権を譲渡した譲渡先を特定する譲渡先情報と、譲渡された投票権の内容を特定する投票権情報とを前記会員の前記会員識別情報に関連付けた譲渡情報を記憶する譲渡情報記憶手段と、
前記会員の端末装置を介して当該会員の投票権の譲渡要求が入力されると、前記譲渡要求に応じて前記投票権情報と、前記譲渡先を特定するための前記譲渡先情報とを設定し、当該会員の前記会員識別情報に関連付け、前記譲渡情報として前記譲渡情報記憶手段に記憶する投票権譲渡手段と、
前記譲渡先の端末装置から前記譲渡先情報とともに投票券購入要求が入力されると、前記譲渡先情報に対応する前記譲渡情報と、前記譲渡情報に対応する前記会員情報とを読み出し、前記投票権情報と前記投票券購入要求を照合して購入の可否を判断し、購入が認められるときは、前記会員情報によって特定される前記会員の口座を基に前記投票券を購入する投票券購入受付手段と、
を有することを特徴とする投票サービス装置。
【請求項２】
前記投票サービス装置は、さらに、
前記譲渡先が購入した前記投票券に関する的中結果を確認し、少なくとも前記投票券の的中が確認されたときは、前記譲渡先の端末装置に確認結果を通知する結果確認手段と、
前記結果確認手段によって前記投票券の的中が確認されたときに、前記譲渡先の端末装置を介して払戻金の受取口座を特定する受取口座情報を取得し、前記受取口座情報に基づいて的中した前記投票券の払戻金を前記受取口座に払い戻す払戻し手段と、
を有することを特徴とする請求項１記載の投票サービス装置。
【請求項３】
前記結果確認手段は、前記投票券が的中したことを通知する通知メッセージとともに、前記受取口座の指示を要求する要求メッセージを前記譲渡先の端末装置に表示させ、
前記払戻し手段は、前記受取口座の指示要求メッセージに対する応答として前記受取口座情報を取得する、
ことを特徴とする請求項２記載の投票サービス装置。
【請求項４】
前記投票権譲渡手段は、前記投票権情報として、前記譲渡先が投票券購入に利用可能な上限金額を設定し、
前記投票券購入受付手段は、前記投票券購入要求に指定される前記投票券の購入に必要な金額と、前記投票権情報に設定される前記上限金額とを照合し、前記購入に必要な金額が前記上限金額を超えていないときは、購入を認める、
ことを特徴とする請求項１記載の投票サービス装置。
【請求項５】
予め登録された会員の端末装置からの指示に応じて投票券を購入するキャッシュレス投票サービスを提供する投票サービスプログラムにおいて、
コンピュータを、
前記会員を特定する会員識別情報に関連付けて前記会員の口座に関する口座情報を含む会員情報を記憶する会員情報記憶手段、
前記会員が投票権を譲渡した譲渡先を特定する譲渡先情報と、譲渡された投票権の内容を特定する投票権情報とを前記会員の前記会員識別情報に関連付けた譲渡情報を記憶する譲渡情報記憶手段、
前記会員の端末装置を介して当該会員の投票権の譲渡要求が入力されると、前記譲渡要求に応じて前記投票権情報と、前記譲渡先を特定するための前記譲渡先情報とを設定し、当該会員の前記会員識別情報に関連付け、前記譲渡情報として前記譲渡情報記憶手段に記憶する投票権譲渡手段、
前記譲渡先の端末装置から前記譲渡先情報とともに投票券購入要求が入力されると、前記譲渡先情報に対応する前記譲渡情報と、前記譲渡情報に対応する前記会員情報とを読み出し、前記投票権情報と前記投票券購入要求を照合して購入の可否を判断し、購入が認められるときは、前記会員情報によって特定される前記会員の口座を基に前記投票券を購入する投票券購入受付手段、
として機能させることを特徴とする投票サービスプログラム。
【発明の詳細な説明】
【技術分野】
【０００１】
本発明は投票サービス装置及び投票サービスプログラムに関し、特に、予め登録された会員の端末装置からの指示に応じて投票券を購入するキャッシュレス投票サービスを提供する投票サービス装置、及び投票サービスプログラムに関する。
【背景技術】
【０００２】
公営競技（競馬、競艇、競輪、オートレース等）の投票には、公営競技場や場外発売所等で現金で投票する現金投票に加え、近年では、指定口座に現金を振り込んでその口座を基に電話や端末で投票を行うキャッシュレス投票が普及しつつある。
【０００３】
従来、キャッシュレス投票を行う場合には、予め公営競技の主催者に対してキャッシュレス投票を行うための申請手続きが必要であった。申請とともに専用の仮口座を開設し、キャッシュレス投票の加入者として登録する。この加入者が、公営競技開催前に予め開設しておいた専用の仮口座に入金しておけば、入金された金額分のキャッシュレス投票が可能となるシステムがある（たとえば、特許文献１参照）。
【０００４】
しかし、口座に入金した金額をすべて使ってしまうと、次の投票ができなくなってしまう。そこで、投票に必要な口座金額を即時に増加させることが可能なキャッシュレス投票システムが提案されている（たとえば、特許文献２参照）。これにより、キャッシュレス投票の利便性が向上する。
【特許文献１】特開２００２−１５２５３号公報（図１）
【特許文献２】特開２００２−２４８９１号公報（図１）
【発明の開示】
【発明が解決しようとする課題】
【０００５】
しかし、従来の公営競技の投票サービスでは、誰でも気軽に投票できるわけではないという問題点があった。
現金投票では、投票券を購入するためには、実際に公営競技場や場外販売所などの販売所へ行かなければならない。しかし、実際に販売所へ出向くには時間と労力が必要であるため、躊躇してしまう人も多い。特に、これまでに投票券を購入したことのない層では、興味があっても、わざわざ出向くことに抵抗があると思われる。
【０００６】
一方、キャッシュレス投票には、実際に出向くという煩わしさはないが、投票を行うためには、予め加入者登録を行って、専用の口座を開設しなければならない。しかし、ちょっと興味があり、試しに投票してみたいというような人にとって、試すためだけに加入者登録するという作業は面倒である。このため、従来のキャッシュレス投票サービスでは、購買層の拡大には繋がらなかった。また、専用の口座を用いてキャッシュレス投票を行う権利は、その加入者しか行使することができない。したがって、キャッシュレス投票の加入者が、知人等に投票を勧めたいような場合であっても、加入者の持つ投票券を購入する権利（以下、投票権とする）を譲渡することはできなかった。
【０００７】
以上のように、従来の投票サービスでは、誰でも気軽に投票できるという状況にはなっておらず、新たな会員の獲得が難しかった。このため、興味はあるが投票券を購入したことのないような層を新たに取り込むサービスが望まれている。
【０００８】
本発明はこのような点に鑑みてなされたものであり、キャッシュレス投票の加入者でなくても気軽に投票できる投票サービス装置及び投票サービスプログラムを提供することを目的とする。
【課題を解決するための手段】
【０００９】
本発明では上記課題を解決するために、図1に示すような投票サービス装置が提供される。投票サービス装置１は、会員情報記憶手段１ａ、譲渡情報記憶手段１ｂ、投票権譲渡手段１ｃ、及び投票券購入受付手段１ｄを有し、予め登録された会員の会員端末装置２からの指示に応じて投票券を購入するキャッシュレス投票サービスを提供する。会員情報記憶手段１ａには、会員を特定する会員識別情報に関連付けて会員の口座に関する口座情報を含む会員情報が記憶される。譲渡情報記憶手段１ｂには、会員が投票権を譲渡した譲渡先を特定する譲渡先情報と、譲渡された投票権の内容を特定する投票権情報とを、この会員の会員識別情報に関連付けた譲渡情報が記憶される。投票権譲渡手段１ｃには、会員端末装置２を介して当該会員の投票権の譲渡要求が入力される。譲渡要求に応じた投票権情報と、譲渡先を特定するための譲渡先情報とを設定し、会員の会員識別情報に関連付けて譲渡情報を生成し、譲渡情報記憶手段１ｂに記憶する。投票券購入受付手段１ｄは、譲渡先端末装置３から投票券購入要求が入力されると、譲渡先に関する投票権情報と、この投票権情報に対応する会員情報とを読み出す。そして、投票権情報と投票券購入要求を照合して購入の可否を判断し、購入が認められるときは、会員情報によって特定される会員の口座を基に投票券を購入する。
【００１０】
このような投票サービス装置１によれば、会員情報記憶手段１ａには、予め会員識別情報に関連付けて会員情報が記憶されている。会員端末装置２を介した会員の投票券購入要求は、この会員情報に基づいて処理される。ここで、会員端末装置２から当該会員の投票権を譲渡する指定が入力されると、投票権譲渡手段１ｃは、譲渡要求に応じた投票権情報と、譲渡先を特定するための譲渡先情報とを設定し、この会員の会員識別情報に関連付けた譲渡情報を生成して譲渡情報記憶手段１ｂに記憶する。譲渡先端末装置３を介して投票券の購入要求が入力されると、投票券購入受付手段１ｄは、対応する譲渡情報と、会員情報とを読み出し、投票券購入要求の可否を判断する。購入内容が投票権情報に指定される内容を超えなければ購入が認められる。購入が認められるときは、会員情報によって特定される会員の口座を基に投票券が購入される。
【００１１】
また、上記課題を解決するために、予め登録された会員の端末装置からの指示に応じて投票券を購入するキャッシュレス投票サービスを提供する投票サービスプログラムにおいて、コンピュータを、会員を特定する会員識別情報に関連付けて会員の口座に関する口座情報を含む会員情報を記憶する会員情報記憶手段、会員が投票権を譲渡した譲渡先を特定する譲渡先情報と、譲渡された投票権の内容を特定する投票権情報とを会員の会員識別情報に関連付けた譲渡情報を記憶する譲渡情報記憶手段、会員の端末装置を介して当該会員の投票権の譲渡要求が入力されると、譲渡要求に応じて投票権情報と、譲渡先を特定するための譲渡先情報とを設定し、当該会員の会員識別情報に関連付け、譲渡情報として譲渡情報記憶手段に記憶する投票権譲渡手段、譲渡先の端末装置から譲渡先情報とともに投票券購入要求が入力されると、譲渡先情報に対応する譲渡情報と、譲渡情報に対応する会員情報とを読み出し、投票権情報と投票券購入要求を照合して購入の可否を判断し、購入が認められるときは、会員情報によって特定される会員の口座を基に投票券を購入する投票券購入受付手段、として機能させることを特徴とする投票サービスプログラム、が提供される。
【００１２】
このような投票サービスプログラムを実行するコンピュータは、会員の端末装置から投票権譲渡の要求が入力されると、譲渡先を特定する譲渡先情報と、譲渡する投票権の内容を特定する投票権情報とを会員識別情報に関連付けて記憶しておく。譲渡先の端末装置から投票券の購入要求を取得したときは、譲渡先に対応する投票権情報に基づいて投票券の購入可否を判断する。購入できるときは、投票権を譲渡した会員の口座を基に投票券を購入する。
【発明の効果】
【００１３】
本発明によれば、キャッシュレス投票サービスの提供を受ける会員は、任意に自身の持つ投票権を所望の譲渡先に譲渡することができる。投票権を譲り受けた人は、会員が指定した投票権の許可範囲内で、会員の口座を基に投票券を購入することができる。これにより、キャッシュレス投票の会員でない者も気軽に投票することが可能となる。また、投票券を購入したことのない層などを新たな顧客として取り込むことが容易になる。
【発明を実施するための最良の形態】
【００１４】
以下、本発明の実施の形態を図面を参照して説明する。
図１は、実施の形態に適用される発明の概念図である。本発明にかかる投票サービス装置１は、会員情報記憶手段１ａ、譲渡情報記憶手段１ｂ、投票権譲渡手段１ｃ、投票券購入受付手段１ｄ、結果確認手段１ｅ、及び払戻し手段１ｆを有し、ネットワークを介して接続する会員端末装置２及び譲渡先端末装置３に、キャッシュレス投票サービスを提供する。
【００１５】
会員情報記憶手段１ａは、投票サービスを受けるために予め会員登録を行った会員に関する会員情報を記憶している。会員情報には、会員を特定する会員識別情報、及び投票サービスに利用する会員の口座を特定する口座情報などが、関連付けられて設定されている。会員の会員端末装置２を介して投票券購入要求が入力されたときは、この会員の口座情報によって特定される口座を基に投票券購入処理が行われる。
【００１６】
譲渡情報記憶手段１ｂは、会員が譲渡先に譲渡した投票権に関する譲渡情報を記憶する。譲渡情報には、譲渡先を特定する譲渡先情報、及び譲渡された投票権の内容を特定する投票権情報などが、会員の会員識別情報に関連付けて設定されている。譲渡先情報には、譲渡先を特定するための情報が設定される。たとえば、投票権譲渡時に発行されるログインＩＤやパスワードなどである。また、譲渡先端末装置３が携帯電話機であれば、これを特定できる電話番号などが登録されてもよい。投票権情報には、会員が持っている投票権の範囲を最大として任意に設定される投票権内容が設定される。投票権内容には、少なくとも譲渡先が投票券購入に利用することが可能な上限金額が含まれる。さらに、投票権の有効期限や、購入可能な投票券の種別など、会員が望む利用条件が設定されてもよい。
【００１７】
投票権譲渡手段１ｃは、会員端末装置２を介して入力された投票権の譲渡要求に応じて譲渡情報を生成し、譲渡情報記憶手段１ｂに記憶する。具体的には、譲渡要求によって指定された譲渡する投票権の内容を示した投票権情報と、投票権を譲渡された譲渡先を特定する譲渡先情報とを設定する。そして、投票権情報と譲渡先情報とを、要求を行った会員の会員識別情報に関連付け、譲渡情報を生成する。また、設定した譲渡先情報は、会員端末装置２へ通知する。
【００１８】
投票券購入受付手段１ｄは、譲渡先端末装置３を介して入力された投票券の購入要求が認められるか否かを判断し、認められるときは、会員の口座を基に投票券を購入する。具体的には、投票券の購入要求とともに入力される譲渡先情報に基づいて譲渡先を特定し、譲渡情報記憶手段１ｂを検索して、この譲渡先に対応する譲渡情報を読み出す。続いて、読み出した譲渡情報に含まれる会員識別情報に基づいて会員情報記憶手段１ａを検索し、この会員の会員情報を読み出す。そして、譲渡情報に含まれる投票権情報と、投票券の購入要求とを照合し、要求が投票権情報に設定される範囲にあるかどうかを判断する。たとえば、投票券の購入に必要な金額と上限金額とを照合し、上限金額を超えていないときは、投票券購入を認める。認められたときは、口座情報によって特定される会員の口座を基に投票券を購入する。購入した投票券に関する投票券情報は、記憶手段に保管しておく。
【００１９】
そして、投票券の購入に合わせて譲渡情報を更新する。たとえば、上限金額から購入金額を減算して上限金額を更新する。
結果確認手段１ｅは、投票券購入受付手段１ｄによって、投票券が購入されたときは、投票券が的中したかどうかの結果を確認し、必要に応じて、結果を譲渡先端末装置３に通知する。具体的には、競技の結果や払戻しなどを管理するサーバに問い合わせて的中投票券や払戻金に関する情報を取得し、記憶手段に記憶される投票券情報と照合する。なお、照合処理は、的中投票券を管理するサーバが行うとしてもよい。そして、少なくとも購入した投票券の的中が確認されたときは、譲渡先端末装置３に確認結果を通知する。たとえば、電子メールによって的中したこと、及び払戻金などを通知する。
【００２０】
払戻し手段１ｆは、結果確認手段１ｅによって投票券の的中が確認されたときに、譲渡先端末装置３を介して払戻金の受取口座を特定する受取口座情報を取得する。そして、受取口座情報に基づいて的中した投票券の払戻金に相当する金額を、競技主催者の口座から譲渡先が指定した受取口座に移動させる。
【００２１】
会員端末装置２は、会員がネットワークを介して投票サービス装置１にアクセスするための装置で、パーソナルコンピュータや携帯電話などの情報端末である。また、会員を認証することができれば、競技場内に設置された端末装置でもよい。
【００２２】
譲渡先端末装置３は、譲渡先がネットワークを介して投票サービス装置１にアクセスするための装置で、会員端末装置２と同様に、情報端末や競技場内に設置された端末装置などである。
【００２３】
このような構成の投票サービス装置１の動作及び投票サービス方法について説明する。
キャッシュレス投票サービスに加入する会員は、会員登録時に、利用する口座に関する口座情報を含む会員情報が生成される。この会員情報は、会員を特定する会員識別情報に関連付けて会員情報記憶手段１ａに記憶される。登録以降、この会員は、自身の持つ投票権の一部を、指定した譲渡先に譲渡することができる。会員は、少なくとも譲渡する投票権の内容を指定し、会員端末装置２から譲渡要求を行う。投票権譲渡手段１ｃは、指定に基づいて投票権情報を設定する。また、譲渡先を特定するための譲渡先情報を設定する。投票権情報と、譲渡先情報と、会員識別情報に関連付け、譲渡情報記憶手段１ｂに格納する。このとき、ログインＩＤやパスワードなど、発行した譲渡先情報は、会員端末装置２へ通知しておく。会員は、会員端末装置２が取得したログインＩＤやパスワードなどを保存しておく。
【００２４】
こうして投票権譲渡の登録が行われた後、会員から相手に対し、譲渡先に登録したこと、及び保存しておいたログインＩＤやパスワードなどが通知される。これにより、譲渡先では、この譲渡先情報を用いて、会員の口座を利用した投票券の購入ができるようになる。譲渡先では、譲渡先端末装置３からログインＩＤやパスワードなどを用いて、投票サービス装置１にアクセスする。認証されれば、投票券の購入が可能となる。
【００２５】
会員から投票権を譲渡された譲渡先では、取得したログインＩＤやパスワードなどを用いて投票サービス装置１へアクセスする。投票サービス装置１では、入力されたログインＩＤやパスワードなどによって、譲渡先端末装置３であることが確認されると、続く以下の処理を開始する。
【００２６】
譲渡先端末装置３を介して投票券の購入要求が入力されると、投票券購入受付手段１ｄは、この譲渡先に関する譲渡情報と会員情報とを読み出し、購入要求が認められるかどうかを判断する。認められる時は、会員の口座を基に指定の投票券を購入する。結果確認手段１ｅは、投票券が的中したかどうかを確認する。的中しているときは、その旨を譲渡先に報告する。また、払戻し手段１ｆは、的中投票券の払戻金を、譲渡先が指定する受取口座に払い戻す。
【００２７】
以上、本願発明によれば、会員登録がされていなくても、会員の許可があれば気軽にキャッシュレス投票を行うことができる。さらに、購入した投票券が的中したときには、投票を行った当人が払戻金を受けることができる。会員登録をしていなくても、気軽に公営競技を試してみることが可能となることにより、これまで投票を行ったことのない層に公営競技に触れてもらえる機会を与えることが可能となり、新規会員を増やせる可能性も持てる。一方、投票権を譲渡する会員にとっても、投票権をプレゼントとして利用することができるため、売り上げ拡大に通じる可能性も持てるという効果も得られる。
【００２８】
以下、実施の形態を詳細に説明する。図２は、本発明の実施の形態のキャッシュレス投票を行う公営競技システムの構成図である。
本発明の実施の形態の公営競技システム１００は、会員情報データベース（以下、ＤＢとする）１６０が接続する会員管理サーバ１１０、ギフト情報ＤＢ１７０が接続するギフト管理サーバ１２０、案内処理サーバ１３０、振込管理サーバ１４０、及び的中管理サーバ１５０が内部ネットワーク１８０を介して接続し、相互に連携しながら投票券の購入から払戻しに関する投票サービスを提供する。また、外部ネットワークを介して、携帯管理サーバ４０１と、銀行サーバ５０１に接続する。携帯管理サーバ４０１は、携帯電話網４００に接続する会員端末２００、及び非会員端末３００と、公営競技システム１００との間のデータ交換を制御する。
【００２９】
以下では、公営競技システム１００が行うキャッシュレス投票サービス処理のうち、課題を解決するための処理、すなわち、会員から非会員に投票権を譲渡し、譲渡された非会員がキャッシュレス投票を行う処理について説明し、他の処理の説明は省略する。
【００３０】
会員管理サーバ１１０は、会員情報ＤＢ１６０に接続し、投票サービスの提供を受けるための会員に登録した会員に対する処理を行う。会員情報ＤＢ１６０には、会員を特定する会員識別情報に関連付けて、会員が投票に利用する口座に関する口座情報や、会員が行った投票に関する投票情報が記憶されている。会員管理サーバ１１０は、会員端末２００から入力される会員の指示に応じて、投票券の購入処理、投票券が的中したときの払戻し処理、銀行サーバ５０１と連携した口座への資金移動などの処理を行う。
【００３１】
ギフト管理サーバ１２０は、ギフト情報ＤＢ１７０に接続し、会員から非会員への投票権の譲渡、及び非会員による投票権の利用などサービス処理を行う。なお、以下の説明では、会員から非会員へ譲渡される投票権をギフトと呼ぶ。ギフト管理サーバ１２０は、会員端末２００からのギフト提供要求を受付けると、ギフトを受け取る非会員を特定するギフト受取人特定情報と、ギフトの内容とを設定し、会員の会員識別情報に関連付けてギフト情報ＤＢ１７０へ格納する。ギフト情報は、図１の譲渡情報に相当する。また、ここではギフト情報として、会員の口座を利用して投票券の購入が可能な上限金額が設定されるとする。
【００３２】
案内処理サーバ１３０は、会員管理サーバ１１０、あるいはギフト管理サーバ１２０などによって起動され、ネットワークを介して接続する会員端末２００や非会員３００に対し、投票サービスの案内を行う表示画面を表示するための情報データを送ったり、表示画面に基づいて設定された入力データの情報を取得し、表示画面を更新したり、入力データを他の処理サーバへ伝達する。
【００３３】
振込管理サーバ１４０は、外部ネットワークに接続する銀行サーバ５０１と連携し、口座間の資金移動を処理する。投票券の購入時には、会員の口座から競技主催者の管理する管理口座へ資金を移動する。また、的中投票券の払戻金を、競技主催者の管理口座から会員の口座へ資金を移動する。非会員の投票券が的中したときは、競技主催者の管理口座から非会員が指定する口座へ資金を移動する。
【００３４】
的中管理サーバ１５０は、的中した投票券と、そのときの払戻金などを管理する。
携帯管理サーバ４０１は、携帯電話網４００を介して接続する会員端末２００及び非会員端末３００と、公営競技システム１００との間の交換されるデータを中継する。また、会員端末２００及び非会員端末３００の身元保証を行う。
【００３５】
銀行サーバ５０１は、公営競技システム１００、会員端末２００、及び非会員端末３００からの指示に従って管理対象の口座の資金移動を処理する。
ここで、ギフト管理サーバ１２０のハードウェア構成について説明する。図３は、ギフト管理サーバのハードウェア構成例を示すブロック図である。
【００３６】
ギフト管理サーバ１２０は、ＣＰＵ（Central Processing Unit）１０１によって装置全体が制御されている。ＣＰＵ１０１には、バス１０６を介してＲＡＭ（Random Access Memory）１０２、ハードディスクドライブ（ＨＤＤ：Hard Disk Drive）１０３、外部インタフェース１０４、及び通信インタフェース１０５が接続されている。
【００３７】
ＲＡＭ１０２には、ＣＰＵ１０１に実行させるＯＳ（Operating System）のプログラムやアプリケーションプログラムの少なくとも一部が一時的に格納される。また、ＲＡＭ１０２には、ＣＰＵ１０１による処理に必要な各種データが格納される。ＨＤＤ１０３には、ＯＳやアプリケーションのプログラムが格納される。外部インタフェース１０４は、ギフト情報ＤＢ１７０が接続されており、ＣＰＵ１０１からの命令に従ってギフト情報の読み出しと書き込みを制御する。通信インタフェース１０５は、ネットワーク１８０に接続されており、ネットワーク１８０を介して公営競技システム１００の他のサーバ、あるいは、外部の端末との間でデータの送受信を行う。
【００３８】
このようなハードウェア構成によって、本実施の形態の処理機能を実現することができる。なお、図３には、ギフト管理サーバのハードウェア構成を示したが、公営競技システム１００の他のサーバのハードウェア構成も同様である。
【００３９】
次に、会員情報ＤＢ１６０及びギフト情報ＤＢ１７０に格納される情報の一例を説明する。
図４は、会員情報ＤＢに格納される会員情報の一例を示した図である。会員情報ＤＢ１６０に格納される会員情報テーブル１６１には、会員ごとに、会員番号１６１ａ、氏名１６１ｂ、個人情報１６１ｃ、銀行口座番号１６１ｄ、会員ＩＤ１６１ｅ、パスワード１６１ｆ、及びギフト番号１６１ｇの各情報項目が登録される。
【００４０】
会員番号１６１ａには、登録順に付与された番号が設定される。氏名１６１ｂは、会員の氏名が設定される。個人情報１６１ｃには、会員の生年月日や住所などの個人情報が設定される。銀行口座番号１６１ｄには、この会員が投票券の購入、払戻金の受け取り、及びギフトの登録に使用する銀行口座を特定する口座情報が設定される。会員ＩＤ１６１ｅは、会員を特定するための会員識別情報である。パスワード１６１ｆは、会員ＩＤとともに、会員が投票サービス処理にログインするために必要な情報である。ギフト番号１６１ｇには、会員が申請したギフトに対応するギフト情報を特定するための情報が設定される。なお、図の例では、ギフト番号は１つであるが、一人の会員が、複数のギフトを設定してもよい。
【００４１】
図５は、ギフト情報ＤＢに格納されるギフト情報の一例を示した図である。ギフト情報ＤＢ１７０に格納されるギフト情報テーブル１７１には、ギフトごとに、ギフト番号１７１ａ、氏名１７１ｂ、ログインＩＤ１７１ｃ、パスワード１７１ｄ、会員番号１７１ｅ、及びギフト金額１７１ｆの各情報項目が登録される。
【００４２】
ギフト番号１７１ａには、ギフトを特定するためのギフト識別情報が設定される。これは、図４に示した会員情報テーブル１６１のギフト番号１６１ｇに対応する。たとえば、会員番号０００１の会員が設定したギフトは、ギフト番号００２のギフト情報に対応する。氏名１７１ｂには、ギフトを受け取る非会員の氏名が設定される。ログインＩＤとパスワード１７１ｄは、ギフトを贈られた非会員が、ギフトを使って投票券を購入する処理にログインするときに必要となる情報である。ギフト登録時に設定され、ギフト申請を行った会員に付与される。会員番号１７１ｅには、ギフトを登録した会員の会員ＩＤが設定される。ギフト金額１７１ｆには、ギフトとして付与された金額が設定される。ギフトを受け取った非会員は、ギフト金額１７１ｆの範囲内であれば、自由に投票券購入に使うことができる。
【００４３】
上記のような会員情報及びギフト情報に基づいて、ギフト管理サーバによるギフト処理が実行される。
図６は、ギフト登録を行うまでのギフト管理サーバによる処理手順を示した図である。ここでは、会員Ａが、非会員Ｂに対し、５，０００円のギフトを贈る場合について説明する。なお、図は、途中でエラーが発生した場合の処理手順を省略している。途中でエラーが発生した場合は、そこで処理が終了し、ギフト登録は行われないとする。
【００４４】
会員Ａが会員Ａ端末２００を使って、公営競技システム１００にアクセス要求を行って処理が開始される。
［ステップＳ０１］  会員Ａ端末２００から、公営競技システム１００に対し、ギフト申請のためのアクセス要求が送信される。このとき、会員Ａに設定される会員ＩＤと、パスワードとをアクセス要求に付加して送信する。
【００４５】
［ステップＳ０２］  ギフト管理サーバ１２０は、アクセス要求を取得し、会員管理サーバ１１０に対し、会員Ａの認証を依頼する。会員管理サーバ１１０が、その会員ＩＤと、パスワードとに基づき、会員Ａを認証する。会員Ａが認証されなかったときは、処理を終了する。会員Ａが認証されたときは、会員Ａ端末装置２００にアクセス許可を返信する。なお、会員Ａ端末２００の表示画面に表示される登録案内画面の提供や画面を介して入力されたデータの収集などは、案内処理サーバ１３０によって実行される。ギフト管理サーバ１２０には、案内表示画面を介して入力された情報データが、案内処理サーバ１３０から入力される。
【００４６】
［ステップＳ０３］  会員Ａ端末２００では、アクセス許可の応答を受け取ったので、ギフト申請を行う。ここでは、非会員Ｂに対し、５，０００円のギフトを渡すという申請を行うとする。具体的には、案内処理サーバ１３０が設定した表示画面に基づいて、ギフトを贈る非会員Ｂに関する非会員情報、ギフトの内容（５，０００円分のギフト）などを示したギフト申請情報が設定される。ギフト申請情報は、ギフト管理サーバ１２０へ送られる。
【００４７】
［ステップＳ０４］  ギフト管理サーバ１２０は、案内処理サーバ１３０を介してギフト申請情報を取得する。
［ステップＳ０５］  ギフト管理サーバ１２０は、会員情報テーブル１６１を検索し、ギフト申請した会員の会員情報を読み出す。あるいは、会員管理サーバ１１０から当該会員の会員情報を取得する。そして、会員情報に設定されている会員の銀行口座番号１６１ｄに基づき銀行サーバ５０１に問合せを行って、口座確認を行う。そして、ギフト申請の設定（ここでは、５，０００円分のギフト）ができるかどうかを判断する。ギフトの設定が不可能であれば、処理を終了する。可能であれば、処理を次ステップへ進める。
【００４８】
［ステップＳ０６］  ギフト管理サーバ１２０は、会員Ａのギフト申請に応じて、５，０００円分のギフトを作成する。具体的には、「会員Ａが５，０００円分のギフトを非会員Ｂに贈る」というギフト情報を設定する。このとき、非会員ＢがログインするためのログインＩＤと、パスワードも設定される。ログインＩＤと、パスワードとは、会員Ａ端末２００に送られる。
【００４９】
［ステップＳ０７］  会員Ａ端末２００には、ログインＩＤと、パスワードとが入力される。このログインＩＤと、パスワードとは、何らかの手段を用いて、会員Ａから非会員Ｂに通知する。正常に取得できたときは、正常応答をギフト管理サーバ１２０へ送る。
【００５０】
［ステップＳ０８］  ギフト管理サーバ１２０は、会員Ａ端末２００がログインＩＤとパスワードを正常に受け取ったので、ステップＳ０６で生成したギフト情報をギフト情報テーブル１７１に登録する。図５の例では、ギフト番号「０００２」に示したように、氏名１７１ｂに「非会員Ｂ」、会員番号１７１ｅに「会員Ａの会員ＩＤ」、ギフト金額１７１ｆに「５，０００」、ログインＩＤ１７１ｃ、そしてパスワード１７１ｄが登録される。
【００５１】
以上の処理手順が実行されることにより、ギフト管理サーバ１２０には、会員Ａが非会員Ｂに贈ったギフトがギフト情報テーブルに登録される。以降、非会員ＢがログインＩＤとパスワードを用いてギフト管理サーバへアクセスすれば、ギフトを使うことができる。
【００５２】
図７は、ギフト利用時のギフト管理サーバによる処理手順を示した図である。会員Ａからギフトを送られた非会員Ｂが、非会員Ｂ端末３００を使って、ギフト管理サーバ１２０にアクセス要求を行って処理が開始される。なお、図は、途中でエラーが発生した場合の処理手順を省略している。途中でエラーが発生した場合は、そこで処理が終了し、次ステップへ進まない。
【００５３】
［ステップＳ１１］  非会員Ｂ端末３００から、公営競技システム１００に対し、ギフトを利用するためのアクセス要求が送信される。このとき、非会員Ｂに設定されたログインＩＤと、パスワードとをアクセス要求に付加して送信する。
【００５４】
［ステップＳ１２］  ギフト管理サーバ１２０は、ギフト情報テーブル１７１を検索し、非会員Ｂを認証する。非会員Ｂが認証されなったときは、処理を終了する。非会員Ｂが認証されたときは、非会員Ｂ端末３００にアクセス許可を返信する。なお、非会員Ｂ端末３００の表示画面に表示される登録案内などは、案内処理サーバ１３０を介して実行されることは、会員Ａ端末２００と同様である。
【００５５】
［ステップＳ１３］  非会員Ｂ端末３００のアクセスが許可されたので、非会員Ｂは、ギフトを用いて投票を行う。具体的には、案内処理サーバ１３０によって生成される投票券購入画面に基づいて、投票券を購入する。購入した投票券に関する購入情報は、ギフト管理サーバ１２０へ送られる。
【００５６】
［ステップＳ１４］  ギフト管理サーバ１２０は、非会員Ｂ端末３００から購入情報を取得すると、会員Ａの口座を利用して要求された投票券を購入する。具体的には、会員情報ＤＢ１６０から会員Ａの銀行口座情報を取得し、その銀行口座から投票券の代金を支払う。また、投票券を管理する的中管理サーバ１５０に対し、投票券の発行を要求する。そして、非会員Ｂに関するギフト情報のギフト金額１７１ｆから購入分の金額を差し引いて、ギフト情報テーブルを更新する。
【００５７】
［ステップＳ１５］  ギフト管理サーバ１２０は、的中管理サーバ１５０に問合せを行って、ステップＳ１４において購入した投票券が的中したかどうかを確認する。的中していれば、的中管理サーバ１５０からは払戻金の額も通知される。的中していないときは、処理を終了する。
【００５８】
［ステップＳ１６］  ギフト管理サーバ１２０は、投票券の的中が確認されたときは、非会員Ｂ端末３００に対し、投票券が的中したことを通知する。投票券的中の通知では、的中した投票券と、その払戻金が伝えられる。たとえば、これらの情報を記載した電子メールを非会員Ｂ端末３００に送信する。このとき、投票券的中の通知から、払戻金を受け取る口座の指定を行うための口座指定画面に誘導されるようにしておく。以前の投票券の購入時に口座指定が行われていたときは、前回の指定口座を非会員Ｂ端末３００に表示させ、この口座でよいかどうかを非会員Ｂに確認させるようにしてもよい。
【００５９】
［ステップＳ１７］  非会員Ｂ端末３００は、ギフト管理サーバ１２０から投票券的中の通知を受けると、払戻金を受け取る振込口座を指定する口座指定画面を表示させる。このとき、表示画面には、振込口座の指定入力とともに、指定された振込口座を用いて会員登録を勧める表示を行うこともできる。そして、非会員Ｂが振込口座の指定を入力したら、指定された振込口座の通知をギフト管理サーバ１２０へ送る。
【００６０】
［ステップＳ１８］  ギフト管理サーバ１２０は、非会員Ｂ端末３００から、払戻金を振り込む振込口座情報を取得する。
［ステップＳ１９］  ギフト管理サーバ１２０は、振込管理サーバ１４０に対し、ステップＳ１８で取得した振込口座に払戻金を振り込む処理を依頼する。振込管理サーバ１４０は、依頼の振込処理を実行する。
【００６１】
以上の処理手順が実行されることにより、会員Ａからのギフトを受け取った非会員Ｂは、会員Ａのギフトを利用して投票券を購入することができる。このとき、購入した投票券の代金は、会員Ａの口座から支払われる。また、購入した投票券が的中したときは、払戻金が非会員の指定する任意の口座に振り込まれる。
【００６２】
なお、上記の処理手順では、非会員Ｂ端末３００から投票券が購入されるごとに会員Ａの口座から購入代金を支払うとしたが、ギフト登録時に、非会員Ｂ用の仮口座を設定してギフトとして設定された金額を予め会員Ａの口座から非会員Ｂ用の仮口座に移しておいてもよい。この場合、投票券の購入代金は、非会員Ｂ用の仮口座から支払われる。
【００６３】
また、ステップＳ１７において会員登録を勧める表示に基づいて、非会員からの会員登録要求が入力されたときは、別途用意されている会員登録画面へ画面を進め、登録手続きが簡単に行えるようにする。これにより、新規会員の獲得機会を増やすことができる。
【００６４】
ここで、上記の処理手順において、非会員Ｂ端末３００に表示される画面の一例を説明する。
図８は、ギフト利用時の投票券購入画面の一例を示した図である。投票券購入画面は、上記の処理手順の投票処理（ステップＳ１３）において非会員Ｂ端末３００に表示される。
【００６５】
図の投票券購入画面３１０は、会員Ａによって設定されたギフト金額欄３１１とともに、投票券の申し込み入力欄３１２が表示されている。投票券の申し込みを行った後、確認３１３を操作すれば、たとえば、購入代金の総額と、ギフト金額の残金とが表示される。そして、最終確認されると、投票券申し込み内容に応じた購入情報が生成され、ギフト管理サーバ１２０に送信される。
【００６６】
図９は、投票券的中時の払戻し通知画面の一例を示した図である。払戻し通知画面は、上記の処理手順の振込口座通知（ステップＳ１７）において非会員Ｂ端末３００に表示される。
【００６７】
図の払戻し通知画面３２０は、的中した投票券に関する的中情報欄３２１とともに、払戻金を受け取る振込先口座指定の設定欄３２２と、会員登録釦３２３が表示されている。的中情報欄３２１には、投票券の内容とともに、払戻し金額が表示される。振込先口座指定の設定欄３２２には、払戻金を入金する口座の設定するための欄である。ここへ設定された口座に対し、払戻金が入金される。会員登録釦３２３は、非会員に対し、会員登録を促す操作釦であり、ここを操作すると会員登録画面へ移行する。会員登録釦３２３は、振込先口座指定の設定欄３２２が入力された後、表示し、指定された口座を利用して会員登録を行えるようにしてもよい。
【００６８】
上記の表示画面のうち、投票券の申し込み入力欄３１２と、的中情報欄３２１とは、会員の端末に表示される同様の画面と同じであるので、非会員Ｂは、会員登録前に会員となったときの操作を体験することができる。また、的中情報に合わせて会員登録釦３２３を表示させることにより、会員登録を効果的に勧めることができる。
【００６９】
以上のように、本発明の実施の形態によれば、キャッシュレス投票の会員となっていない非会員Ｂが、試しにキャッシュレス投票を行ってみることが容易にできるようになる。こうして実際に体験してみて興味を持った非会員が、会員登録を行うことが期待でき、新規会員の獲得に多大な効果が得られる。
なお、上記の処理機能は、コンピュータによって実現することができる。その場合、投票サービス装置が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体に記録しておくことができる。コンピュータで読み取り可能な記録媒体としては、磁気記録装置、光ディスク、光磁気記録媒体、半導体メモリなどがある。磁気記録装置には、ハードディスク装置（ＨＤＤ）、フレキシブルディスク（ＦＤ）、磁気テープなどがある。光ディスクには、ＤＶＤ（Digital Versatile Disc）、ＤＶＤ−ＲＡＭ（Random Access Memory）、ＣＤ−ＲＯＭ（Compact Disc Read Only Memory）、ＣＤ−Ｒ（Recordable）／ＲＷ（ReWritable）などがある。光磁気記録媒体には、ＭＯ（Magneto-Optical disk）などがある。
【００７０】
プログラムを流通させる場合には、たとえば、そのプログラムが記録されたＤＶＤ、ＣＤ−ＲＯＭなどの可搬型記録媒体が販売される。また、プログラムをサーバコンピュータの記憶装置に格納しておき、ネットワークを介して、サーバコンピュータから他のコンピュータにそのプログラムを転送することもできる。
【００７１】
プログラムを実行するコンピュータは、たとえば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送されるごとに、逐次、受け取ったプログラムに従った処理を実行することもできる。
【００７２】
（付記１）  予め登録された会員の端末装置からの指示に応じて投票券を購入するキャッシュレス投票サービスを提供する投票サービス装置において、
前記会員を特定する会員識別情報に関連付けて前記会員の口座に関する口座情報を含む会員情報を記憶する会員情報記憶手段と、
前記会員が投票権を譲渡した譲渡先を特定する譲渡先情報と、譲渡された投票権の内容を特定する投票権情報とを前記会員の前記会員識別情報に関連付けた譲渡情報を記憶する譲渡情報記憶手段と、
前記会員の端末装置を介して当該会員の投票権の譲渡要求が入力されると、前記譲渡要求に応じて前記投票権情報と、前記譲渡先を特定するための前記譲渡先情報とを設定し、当該会員の前記会員識別情報に関連付け、前記譲渡情報として前記譲渡情報記憶手段に記憶する投票権譲渡手段と、
前記譲渡先の端末装置から前記譲渡先情報とともに投票券購入要求が入力されると、前記譲渡先情報に対応する前記譲渡情報と、前記譲渡情報に対応する前記会員情報とを読み出し、前記投票権情報と前記投票券購入要求を照合して購入の可否を判断し、購入が認められるときは、前記会員情報によって特定される前記会員の口座を基に前記投票券を購入する投票券購入受付手段と、
を有することを特徴とする投票サービス装置。
【００７３】
（付記２）  前記投票サービス装置は、さらに、
前記譲渡先が購入した前記投票券に関する的中結果を確認し、少なくとも前記投票券の的中が確認されたときは、前記譲渡先の端末装置に確認結果を通知する結果確認手段と、
前記結果確認手段によって前記投票券の的中が確認されたときに、前記譲渡先の端末装置を介して払戻金の受取口座を特定する受取口座情報を取得し、前記受取口座情報に基づいて的中した前記投票券の払戻金を前記受取口座に払い戻す払戻し手段と、
を有することを特徴とする付記１記載の投票サービス装置。
【００７４】
（付記３）  前記結果確認手段は、前記投票券が的中したことを通知する通知メッセージとともに、前記受取口座の指示を要求する要求メッセージを前記譲渡先の端末装置に表示させ、
前記払戻し手段は、前記受取口座の指示要求メッセージに対する応答として前記受取口座情報を取得する、
ことを特徴とする付記２記載の投票サービス装置。
【００７５】
（付記４）  前記投票券購入受付手段は、前記投票券の購入処理時に、前記投票券が的中したときに払戻金を受け取る前記受取口座に関する前記受取口座情報を取得して前記譲渡情報記憶手段へ記憶しておき、
前記払戻し手段は、前記譲渡情報記憶手段から前記受取口座情報を読み出し、払戻しを行う、
ことを特徴とする付記２記載の投票サービス装置。
【００７６】
（付記５）  前記投票権譲渡手段は、前記投票権情報として、前記譲渡先が投票券購入に利用可能な上限金額を設定し、
前記投票券購入受付手段は、前記投票券購入要求に指定される前記投票券の購入に必要な金額と、前記投票権情報に設定される前記上限金額とを照合し、前記購入に必要な金額が前記上限金額を超えていないときは、購入を認める、
ことを特徴とする付記１記載の投票サービス装置。
【００７７】
（付記６）  前記投票券購入受付手段は、前記投票券を購入したときは、前記投票権情報の前記上限金額から前記投票券の購入金額を減算して、減算した値に前記上限金額を書き換える、ことを特徴とする付記５記載の投票サービス装置。
【００７８】
（付記７）  予め登録された会員の端末装置からの指示に応じて投票券を購入するキャッシュレス投票サービスを提供する投票サービスプログラムにおいて、
コンピュータを、
前記会員を特定する会員識別情報に関連付けて前記会員の口座に関する口座情報を含む会員情報を記憶する会員情報記憶手段、
前記会員が投票権を譲渡した譲渡先を特定する譲渡先情報と、譲渡された投票権の内容を特定する投票権情報とを前記会員の前記会員識別情報に関連付けた譲渡情報を記憶する譲渡情報記憶手段、
前記会員の端末装置を介して当該会員の投票権の譲渡要求が入力されると、前記譲渡要求に応じて前記投票権情報と、前記譲渡先を特定するための前記譲渡先情報とを設定し、当該会員の前記会員識別情報に関連付け、前記譲渡情報として前記譲渡情報記憶手段に記憶する投票権譲渡手段、
前記譲渡先の端末装置から前記譲渡先情報とともに投票券購入要求が入力されると、前記譲渡先情報に対応する前記譲渡情報と、前記譲渡情報に対応する前記会員情報とを読み出し、前記投票権情報と前記投票券購入要求を照合して購入の可否を判断し、購入が認められるときは、前記会員情報によって特定される前記会員の口座を基に前記投票券を購入する投票券購入受付手段、
として機能させることを特徴とする投票サービスプログラム。
【００７９】
（付記８）  予め登録された会員の端末装置からの指示に応じて投票券を購入するキャッシュレス投票サービスを提供する投票サービス方法において、
投票権譲渡手段が、前記会員の端末装置を介して当該会員の投票権の譲渡要求が入力されると、前記譲渡要求に応じて譲渡された前記投票権の内容を特定する投票権情報と、譲渡先を特定するための前記譲渡先情報とを設定し、当該会員を特定する会員識別情報に関連付け、譲渡情報として譲渡情報記憶手段に記憶し、
投票券購入受付手段が、前記譲渡先の端末装置から前記譲渡先情報とともに投票券購入要求が入力されると、前記譲渡先情報に対応する前記譲渡情報と、前記譲渡情報に対応する前記会員識別情報とを読み出し、前記投票権情報と前記投票券購入要求を照合して購入の可否を判断し、購入が認められるときは、前記会員識別情報に関連付けて前記会員の口座に関する口座情報を含む会員情報を記憶する会員情報記憶手段から、前記会員識別情報に基づいて前記口座情報を取得し、前記口座情報によって特定される前記会員の口座を基に前記投票券を購入する、
ことを特徴とする投票サービス方法。
【図面の簡単な説明】
【００８０】
【図１】実施の形態に適用される発明の概念図である。
【図２】本発明の実施の形態のキャッシュレス投票を行う公営競技システムの構成図である。
【図３】ギフト管理サーバのハードウェア構成例を示すブロック図である。
【図４】会員情報ＤＢに格納される会員情報の一例を示した図である。
【図５】ギフト情報ＤＢに格納されるギフト情報の一例を示した図である。
【図６】ギフト登録を行うまでのギフト管理サーバによる処理手順を示した図である。
【図７】ギフト利用時のギフト管理サーバによる処理手順を示した図である。
【図８】ギフト利用時の投票券購入画面の一例を示した図である。
【図９】投票券的中時の払戻し通知画面の一例を示した図である。
【符号の説明】
【００８１】
１  投票サービス装置
１ａ  会員情報記憶手段
１ｂ  譲渡情報記憶手段
１ｃ  投票権譲渡手段
１ｄ  投票券購入受付手段
１ｅ  結果確認手段
１ｆ  払戻し手段
２  会員端末装置
３  譲渡先端末装置
【図１】
2008276352.tif 000003
【図２】
2008276352.tif 000004
【図３】
2008276352.tif 000005
【図４】
2008276352.tif 000006
【図５】
2008276352.tif 000007
【図６】
2008276352.tif 000008
【図７】
2008276352.tif 000009
【図８】
2008276352.tif 000010
【図９】
2008276352.tif 000011